(57)【要約】較正装置を有するディスプレイが開示される。例示的なディスプレイは、該ディスプレイにより提示されたカラーパターンの色設定について複数の測定値を測定するためのセンサを含む。プロセッサは、該色設定についての複数の測定値のそれぞれに対応する平均値を計算する。較正管理部は、該平均値に基づいて較正された測定値を生成する。該較正された測定値は、ディスプレイの色空間情報の決定を可能にする。【選択図】図１【特許請求の範囲】
【請求項１】
ディスプレイであって、
該ディスプレイにより提示されたカラーパターンの複数の色設定について複数の測定値を測定するセンサと、
該複数の色設定についての該複数の測定値のそれぞれに対応する平均値を計算するプロセッサと、
該平均値に基づいて較正された測定値を生成する較正管理部であって、該較正された測定値が、該ディスプレイのための色空間情報の決定を可能にする、較正管理部と
を備えている、ディスプレイ。
【請求項２】
前記センサを支持するためのキャリアを更に含み、該キャリアが前記ディスプレイに取り付けられている、請求項１に記載の装置。
【請求項３】
前記キャリアが、前記ディスプレイのハウジングに回動可能な状態で取り付けられ、及び該ハウジングに対して第１の位置と第２の位置との間で回転する、請求項２に記載の装置。
【請求項４】
前記キャリアが非較正位置にある際に該キャリアが前記ハウジング内に位置決めされ、該キャリアが較正位置にある際に該キャリアが該ハウジングから突出する、請求項３に記載の装置。
【請求項５】
前記キャリアを前記第１の位置と前記第２の位置との間で回転させるための駆動システムを更に含み、該駆動システムが、歯車伝動装置を介して前記キャリアに動作可能な状態で連結されたモータを含む、請求項３に記載の装置。
【請求項６】
前記モータが、前記ディスプレイの前記ハウジング内に配置されている、請求項５に記載の装置。
【請求項７】
前記歯車伝動装置が、前記モータの出力シャフトにより駆動されるウォームギアと、前記キャリアの近位端に連結された平歯車とを含む、請求項５に記載の装置。
【請求項８】
前記複数の色設定のうちの少なくとも１つが、白、黒、赤、緑、青、シアン、黄、又はマゼンタのうちの少なくとも１つの三刺激値を含む、請求項１に記載の装置。
【請求項９】
前記複数の測定値が少なくとも５つの測定値を含む、請求項１に記載の装置。
【請求項１０】
ディスプレイを較正するための方法であって、
センサに隣接する前記ディスプレイの表示領域に複数の色設定を提示し、
該センサを介して、前記複数の色設定のうちの対応する色設定について複数の測定値を測定し、
該測定された複数の色設定のうちの対応する色設定についての前記複数の測定値のうちの対応する測定値のそれぞれの平均値を計算し、及び、
該平均値に基づいて較正された測定値を生成する
ことを含む、ディスプレイを較正するための方法。
【請求項１１】
前記センサを第１の位置から第２の位置へ移動させることを更に含み、該センサが該第１の位置において前記ディスプレイのハウジングの内部に配置され、及び該センサが該第２の位置にある際に該センサが前記ディスプレイの前記ハウジングから少なくとも部分的に突出する、請求項１０に記載の方法。
【請求項１２】
ユーザの関与なしに前記ディスプレイを自動的に較正することを更に含む、請求項１０に記載の方法。
【請求項１３】
前記較正された測定値に基づいて前記ディスプレイの色空間情報を調整することを更に含む、請求項１０に記載の方法。
【請求項１４】
命令を含む有形のコンピュータ読み取り可能媒体であって、該命令が、その実行時に、少なくとも、
センサを第１の位置から第２の位置へ移動させて該センサをディスプレイの表示領域に隣接して配置し、該センサが前記第１の位置において前記ディスプレイのハウジングの内部に配置され、及び該センサが前記第２の位置にある際に該センサが前記ハウジングから少なくとも部分的に突出し、
前記センサに隣接する前記ディスプレイの表示領域に複数の色設定を提示し、
該複数の色設定のうちの対応する色設定について複数の測定値を測定し、
該測定された複数の色設定のうちの対応する色設定についての前記複数の測定値のうちの対応する測定値のそれぞれの平均値を計算し、
該平均値に基づいて較正された測定値を生成し、及び、
該較正された測定値に基づいて前記ディスプレイの色空間情報を調整する
ことをマシンに行わせるものである、命令を含む有形のコンピュータ読み取り可能媒体。    
【請求項１５】
前記命令が、その実行時に、ユーザの関与なしに前記マシンに前記ディスプレイを自動的に較正させる、請求項１４に記載のコンピュータ読み取り可能媒体。
【発明の詳細な説明】
【背景技術】
【０００１】
イメージング装置（例えば、LCD（液晶ディスプレイ）など）は、プロの写真撮影、ビデオ及び／又はグラフィクス環境及び／又はその他の環境で広く使用されている。イメージング装置は、標準化された色空間又は出力装置の仕様に準拠するように、原色、明るさ、及び彩度を変更する。
【図面の簡単な説明】
【０００２】
【図１】本開示の教示に従って構成された較正システムを有する例示的なディスプレイのブロック図である。
【図２Ａ】図１の例示的なディスプレイの一例を示しており、例示的な較正装置が非較正状態で示されている。図１を参照する。
【図２Ｂ】図２Ａの例示的なディスプレイを示しており、例示的な較正装置が較正状態で示されている。
【図３Ａ】図２Ａ及び図２Ｂの例示的な較正装置の例示的な駆動システムの一部を示している。
【図３Ｂ】図２Ａ及び図２Ｂの例示的な較正装置の例示的なキャリアの断面図である。
【図４Ａ】図１の例示的なディスプレイの他の例を示しており、複数の例示的な較正装置が非較正状態で示されている。
【図４Ｂ】図４Ａの例示的なディスプレイを示しており、複数の較正装置が較正状態で示されている。。
【図５】図１の例示的な較正システムの一例を表すブロック図である。
【図６】図５の例示的な較正システムを実施するために実行することが可能な例示的なマシン読み取り可能命令を表すフローチャートである。
【図７】図５の例示的な較正システムを実施するために実行することが可能な例示的なマシン読み取り可能命令を表すフローチャートである。
【図８】図５の例示的な較正システムを実施するために実行することが可能な例示的なマシン読み取り可能命令を表すフローチャートである。
【図９】図５の例示的な較正システムを実施するために図６、図７、及び／又は図８の命令を実行することが可能な例示的なプロセッサプラットフォームのブロック図である。
【発明を実施するための形態】
【０００３】
幾つかの例が、上記図面に図示され、及び以下で詳細に説明される。図面は縮尺通りではなく、図中の特定の特徴及び特定の外観が、明瞭さ及び／又は簡潔さのために、縮尺が誇張されて又は概略的に図示されることがある。更に、本書で開示する例示的なディスプレイ又は較正装置の幾つかの構成要素は、明瞭さのため幾つかの図面から削除される場合がある。以下では例示的な方法及び装置について開示するが、かかる方法及び装置は単なる例示であり、本開示の範囲を限定するものと見なされるべきではないことに留意されたい。
【０００４】
本書で用いる場合、「上」、「下」、「上側」、「下側」、「正面」、「背面」、「先端」、「後端」、「左」、「右」等といった方向に関する用語は、説明される図面の向きに関して使用される。本書で開示する様々な例の構成要素は、幾つかの異なる向きで配置することが可能であるので、方向に関する用語は、例示を目的として使用されたものであり、限定を意図したものではない。本書で使用する場合、「実質的に」及び「約」とは、問題となる用語が基準に対して10％未満だけ異なることを意味する。例えば、約10度とは、9度〜11度の間の10度±10％を意味する。例えば、「基準に対して実質的に垂直」とは、基準に対して90度±10％（例えば、81度〜109度の間）であることを意味する。
【０００５】
図面は、１つ以上の例又は１つ以上の実例として提供されているが、本開示の範囲を限定するものではない。
【０００６】
例えば、LCD（液晶ディスプレイ）、プラズマディスプレイ、OLED（有機発光ダイオード）ディスプレイ及びプロジェクションシステムといったイメージング装置は、色管理を使用して様々な装置間の色表現の変換を制御する。装置が必要とされる色強度を提供することが可能である場合、色管理は、全ての装置で同じメディアの同じ外観を実現するのに役立つ。色管理を提供するために、イメージング装置は、特定のイメージング装置のイメージング偏差（例えば、較正された測定値）を決定するために較正される。動作時に、較正されたイメージング装置は、該イメージング装置が受信した入力データに対応するイメージを正確に表示するために、該較正された測定値に基づいてイメージを表す入力データを変更する。
【０００７】
例えば、LCD（液晶ディスプレイ）、プラズマディスプレイ、OLED（有機発光ダイオード）ディスプレイ及びプロジェクションシステムといったイメージングディスプレイは、人間の目の感度に適合された色空間を有するイメージを生成する。製造上のばらつきや環境条件などにより、異なるイメージング装置は異なる色空間特性を呈する可能性がある。しかし、ディスプレイにより実際に出力される色は、表示される媒体について意図された色と厳密に一致することが望ましい。ディスプレイは、駆動ソース（例えば、ＣＰＵ）から受信したイメージデータにより提供される色空間情報と一致するように表示対象の色空間情報を修正するために色補正を使用する。ディスプレイの性能特性（例えば、応答性能、色度レベルなど）のため、ディスプレイは、受信したイメージデータとディスプレイにより出力されるイメージとの間の一貫した色空間の一致を提供するように較正される。ディスプレイの較正は、ディスプレイにより提示されるイメージの色空間又は配色が、ディスプレイにより受信されるイメージデータ（例えば、メディア）の色空間又は配色と一致することを確実にする。実例によっては、ディスプレイは製造中（例えば組み立て後）に較正される。しかし、工場での較正の設定は、特定の用途には十分ではなく、及び／又はディスプレイの経年劣化につれて（例えば、500時間の使用後に）元の設定から逸脱する。
【０００８】
人（例えば、訓練を受けた人）の存在を必要することなく較正を自動化するために、幾つかの例のディスプレイは単一の内蔵較正センサを使用する。しかし、内蔵較正センサシステムによっては、内蔵センサにより検出された測定輝度値に基づいて、予め組み込まれた較正測定値（例えば、ルックアップテーブル）を調整し又は調節するものがある。換言すれば、かかる調整技術は、較正測定値を再開発するものではなく、以前に決定された既存の較正値（例えば、工場較正値）に基づいて輝度（例えば、明るさレベル）を単に修正するものである。固定された既存の較正測定値に基づくかかる修正は、不正確な色出力特性を提供し、これによりディスプレイの性能特性が低下する可能性がある。更に、実例によっては、白色点（例えば、輝度及びバランス）を測定することは、センサ装置に関連する固有のノイズのために不正確な測定値をもたらす可能性がある。例えば、より暗いスケール（例えば、グレースケール）で色設定を測定する場合、環境からの周囲光が、センサにより得られる測定された測定値（reading）の精度に影響を与える可能性があり、これはイメージデータの色空間情報とディスプレイの出力性能との間の不一致をもたらす可能性がある。
【０００９】
例示的なシステム及び方法は、ディスプレイの色空間又は色域を操作する較正技術を提供することが可能である。ディスプレイの全寿命にわたって静的な較正値（例えば、工場較正値）を使用するのではなく、例示的なシステム及び方法は、較正が実行されるたびにディスプレイの色較正設定を調整する較正システムを使用することが可能である。換言すれば、例示的な較正システムは、ディスプレイの能力を表すことができないプリセットのルックアップテーブルを用いる以前の能力の劣る方法に従うのではなく、較正プロセスの一部としてカラー較正のための較正測定値（例えば、ルックアップテーブル）を作成することが可能なものとすることが可能である。したがって、実実例によっては、以前に生成された較正測定値が、ディスプレイの現存する性能特性に基づいて再開発される。例えば、ディスプレイの性能特性の損失は、較正中に調整され又は考慮される。かかる較正された測定値（例えば、較正された一組の測定値）は、経年劣化又は使用による劣化を考慮することによりディスプレイの性能を向上させるものとなる。
【００１０】
較正を実行するために、例示的なディスプレイは較正システムを採用することが可能である。かかる実例によっては、較正システムは、そのサービス対象となるディスプレイと一体的（例えば、内蔵型）のものである。実例によっては、較正システムは、人間の参加なしにディスプレイを自動的に較正することが可能であるスタンドアロン型の較正システムである。本書で開示する幾つかの例示的な較正モジュールは、複数のカラーパターンにより表される色設定（例えば、原色、白色点、明るさレベルなど）について複数の測定値（例えば、少なくとも５つの測定値、約２〜１５個の測定値など）を測定する１つ以上の較正センサを用いるものである。かかる実例によっては、較正システムは、色設定及び／又は輝度設定について測定された測定値の平均値を計算する。対応する色設定及び／又は輝度設定についての測定値の平均値は、較正プロセス中に使用される複数の入力値として使用される。該平均値は、較正プロセス中に値として使用される色調（例えば、原色、二次色）、白色点、及び／又は明るさ（例えば、輝度及び／又はグレースケール）を表すことが可能である。実例によっては、較正センサは、指定された期間にわたって（例えば、50ミリ秒にわたって又は100ミリ秒にわたって）ディスプレイ上の１つの位置で１つの色設定の複数の測定値（例えば、ｎ個の測定値）を取得する。測定値の数はユーザーが定義することが可能である。実例によっては、較正システムは、指定された期間（例えば100ミリ秒）にわたってディスプレイ上の２つ以上の異なる位置（例えば、２つの隣接する点）で１つの色設定の複数の測定値を取得するために複数の較正センサを用いる。較正センサにより取得される複数の測定値は、２つ以上の異なる位置で同時に取得することが可能である。
【００１１】
較正精度を高めるために、幾つかの例の較正モジュールは、１つ以上の較正センサにより測定された対応する色設定についての平均値に基づき、較正された測定値を決定する。場合によっては、複数の較正センサにより提供される測定値の平均値を使用することにより、複数の較正センサ（例えば、比色計）に固有のものとなり得るノイズ（例えば、グレースケールノイズ）又はその他の不正確さ又は不一致を補償することが可能となる。例えば、比色計は、ホワイトバランス又は白色点、グレースケール、及び／又は輝度値を測定する場合に不一致の又は不正確な測定値を提供する可能性がある。このため、複数の測定値の平均値を使用してディスプレイを較正することにより、本書で開示する例示的な方法及び装置は、複数の較正センサに固有のノイズを平均化することにより較正精度を高める。この改善された精度は、幾つかの例が、より低コストのセンサーを使用することを可能にする。実例によっては、ディスプレイの複数の異なる部分にわたる複数の明るさレベルを同時に測定して、ディスプレイの表示領域の異なる部分（例えば、領域）にわたるディスプレイのバックライトにより提供される輝度の不一致を決定することが可能である。
【００１２】
本書で開示する幾つかの例示的な較正システムは、較正センサ（例えば、比色計、カラーフィルタを有するＸＹＺセンサなど）を含むことが可能な較正装置を含む。幾つかの較正装置とは異なり、本書で開示する例示的な較正センサは、特定の光波長の光エネルギーの測定を可能にするために３つのフォトダイオード上にフィルタを有するＸＹＺカラーセンサを実施する。実例によっては、本書で開示する較正システムは、１つのキャリアにより支持された複数の較正センサ（例えば、２つのセンサ、３つのセンサなど）を含むことが可能な較正装置を含むことが可能である。実例によっては、本書で開示する較正システムは、１つのキャリアにより支持された複数の較正装置（例えば、２つの較正装置、３つの較正装置など）を含むことが可能である。かかる実例によっては、本書で開示する複数の較正装置のうちの対応する較正装置は、１つのキャリア上に支持された１つのセンサ又は複数のセンサ（例えば、２つのセンサ、３つのセンサなど）を含むことが可能である。実例によっては、本書で開示する複数の較正装置は、ディズプレイの異なる区画又は表示領域に配置する（例えば、第１象限に１つの較正装置、第２象限に１つの較正装置、第３象限に１つの較正装置、及び／又は第４象限に１つの較正装置を配置する）ことが可能である。かかる実例によっては、１つの較正センサをディスプレイの複数の異なる区画内に配置することが可能である。
【００１３】
図示の例を一層詳細に説明する。図１は、本開示の教示に従って構成された例示的な較正システム102を含むイメージ提示装置又はディスプレイ100のブロック図である。より詳細には、図示の例の較正システム102は、ディスプレイ100と一体的に形成（例えば内蔵）され、較正システム102はスタンドアロン型システムである。例えば、較正システム102は、ユーザ又は外部データソース（例えばコンピュータ）からの入力なしに自動的にディスプレイ100の較正を実行することが可能である較正装置である。
【００１４】
図示の例のディスプレイ100は、例示的な入出力インタフェイス104、例示的な色管理システム106、例示的なデータストア108、例示的なディスプレイ駆動部110、例示的なディスプレイパネル112、例示的な較正システム102、及び例示的なユーザインタフェイス122を含む。この例の例示的な較正システム102は、例示的な較正モジュール114及び例示的な較正装置116を含む。
【００１５】
図示の例のディスプレイ100は、入出力インタフェイス104を介して駆動ソース120から入力データ118を受信する。駆動ソース120は、例えば、コンピュータ、テレビ受信機、カメラ、ビデオカメラ、医療機器、グラフィックカード、携帯電話、又はその他の任意のメディアソースとすることが可能である。ディスプレイ100の入出力インタフェイス104は、ユニバーサルシリアルバス（USB）インタフェイス、Ethernet（登録商標）インタフェイス、ディスプレイデータチャネル／コマンドインタフェイス（DDC/CI）、デジタルビデオ入力（ＤＶＩ）、ワイヤレスインタフェイス（例えば、Bluetooth（登録商標）、Wi-Fi（登録商標）など）、及び／又はその他の任意の通信インタフェイスとして実施することが可能である。
【００１６】
動作時には、図示の例のディスプレイ100は、入力データ118を介してエンコードされた色空間情報を受信する。入力データ118は、イメージソース、ビデオソース、及び／又は色空間情報（例えば、標準的な色空間）と共にフォーマットされ又はエンコードされたその他の入力データとすることが可能である。例えば、ソースは、１つ以上の静止画、１つ以上の動画、１つ以上の部分的なイメージ、又は特定の色空間又は標準的な色空間と共にフォーマットされたビデオの全フレームなどを提供することが可能である。使用される色空間は、所望の知覚される色調応答（perceived tone response）を生成するために少なくとも３つのパラメータ（例えば、三刺激値）からなる一組のパラメータを使用して一組の色を定義する。色調応答は、駆動ソース120により提供される入力データ118とディスプレイ100により提供される出力応答との間の輝度のマッピングを記述する。例えば、エンコードされた色空間情報は、国際照明委員会により定義されたCIE uv又はCIE u'v'色空間色度チャートに基づいて開発されており、これは人間の目に見える色域を代表するものである。例えば、CIE XYZ色空間は、指定された輝度又は明るさで提示された際の赤、緑、及び青の三原色を表す少なくとも３つのパラメータ（例えば、三刺激値x,y,z）からなる一組のパラメータを用いて一組の色をエンコードする。エンコードされた色空間又は色域のプリセットには、sRGB D65、sRGB D50、AdobeRGB、BT.709、BT.2020、DCI P3などが含まれるが、これらには限定されない。
【００１７】
様々な色空間のエンコードのため、駆動ソース120により提供される入力データ118の実際のRGB色度（例えば、輝度に関係しない色の品質の客観的な仕様）は、ディスプレイ100のネイティブなRGB色度の出力応答とは異なる可能性がある。例えば、図示の例のディスプレイパネル112は、ディスプレイ100が複製しようとする任意の所望の色空間の色域（例えば、カラーパレット）を包含する一組の原色を有する。例えば、図示の例のディスプレイ100は、幾つかのディスプレイよりも彩度が高い（過飽和の）色域（例えば、ディスプレイパネル112が生成することができる一組の色又はパレット）を含むことが可能である。しかし、適切な色操作がなければ、広い色域（例えば、標準的なエンコードされた色域のプリセットよりも多くの色を含む色域）を有するディスプレイは、不適切な色出力応答を提示する可能性がある。例えば、ディスプレイの原色が他の原色とは異なる色調応答を有する場合があり、これは予測不能な又は不正確な全体的な色応答をもたらし得る。
【００１８】
色の正確さ又は正確な演色（例えば、ディスプレイから測定された色又は知覚された色と予想される色又は値との間の実質的な一致）を提供するために、図示の例のディスプレイ100は色管理システム106を含む。図示の例の色管理システム106は、駆動ソース120からの入力データ118を構成し、及び入力データ118により提供される色設定と実質的に一致する色設定を有する該入力データ118に関連するイメージを出力するようディスプレイ駆動部110に命令する。例えば、図示の例の色管理システム106は、入力データ118に関連する所望の出力特性と実質的に一致するようにディスプレイ100の性能を構成する。図示の例のディスプレイ100の出力性能特性は、例えば、原色（例えば、赤、緑、青）、二次色（例えば、シアン、マゼンタ、イエロー）、色調応答（例えば、ガンマ曲線）、白色点（例えば、等しい又はほぼ等しい一次成分により再現される色の色度）、及び輝度（例えば、ディスプレイパネル112の光源の明るさレベル）を含む色空間の特性に関連するものである。例えば、白色点は、等しい又はほぼ等しい一次成分（例えば、赤＝緑＝青）により再現される色の色度の尺度である。例えば、輝度は、人間の視覚の特徴であるスペクトル感度の関数により重み付けされた光源の放射力を表す。輝度は、単なる光強度の尺度ではなく、人間の目が提示された色をどのように知覚するかを補償するための光源の明るさの特性である。かかる色空間情報又は特性は、データストア108に格納し、及び入力データ118をディスプレイ100の出力応答に関連付ける際に色管理システム106により読み出すことが可能である。
【００１９】
このため、ディスプレイパネル112の特定のピクセルのための所与の入力値について、図示の例のディスプレイ100は、イメージデータ118の実質的に同一の知覚される色で実質的に同一の輝度を放射すると予想される出力色空間仕様に準拠する。入力データ118により提供される色空間情報を、ディスプレイ100の性能特性（例えば、応答時間、ネイティブな色設定など）に基づいて実質的に同様の色空間へと関連付けし又は相関付けるために、図示の例の色管理システム106は、較正されたプロファイル（例えば、ルックアップテーブルを介して提示される較正された測定値）を使用する。例えば、以下で詳述するように、製造中にプリセットされたテーブルを繰り返し使用するのではなく、図示の例の較正システム102は、較正サイクル中に較正されたプロファイルを生成し、その情報をデータストア108に格納する。図示の例の色管理システム106は、該較正されたプロファイル又は較正された測定値（例えば、一組の較正された測定値）を使用して、入力データ118を提供するコンテンツのソースと該コンテンツを提示するために使用されるディスプレイ100の出力との間の一貫性を提供する。例えば、図示の例の色管理システム106は、色（赤、緑、青など）、明るさ、ガンマ、及びホワイトバランスに関する一組の規格を有する入力データ118に関連するイメージを表示することになるディスプレイパネル112の色、明るさ、ガンマ、及び／又はホワイトバランス設定を、前記較正されたプロファイルを使用して実質的に一致させる。
【００２０】
例えば、図示の例の較正システム102は、一次値についての色度及び色調応答を決定するためにディスプレイ100の特徴付けを行う。かかるディスプレイ100の特徴付けを可能にするために、図示の例の較正システム102は、所望の色空間の原色を表す入力データ118の白色点を、特徴付けされたディスプレイ100の実際の原色の白色点へとシフトさせる、一組の較正された測定値（例えば、係数、マトリクス、ルックアップテーブルなど）を作成する。白色点とは、等しい又はほぼ等しい一次成分により再現される色の色度である。色調応答とは、入力データとディスプレイにより提供される出力応答との間の輝度のマッピングを指す。ガンマとは、色調応答の一種であり、通常はべき（指数）関数として表されるビデオ入力の対数の導関数に対するビデオ出力の対数の導関数の比である。物理的な装置により生成される光の強度は、入力データ118により提供される入力信号の線形関数ではないので、ガンマは、この比を表す方法を提供する。このため、様々な色空間のエンコーディング（例えば、標準的な色空間のエンコーディング又はユーザにより定義された色空間のエンコーディング）により、駆動ソース120の実際の色度は、ディスプレイパネル112の本来の色度とは異なる場合がある。したがって、色管理システム106は、前記較正されたプロファイルを使用して、入力データ118の色空間のエンコーディング（例えば、エンコードされた原色、第１の白色点、色調応答など）をディスプレイ100の色空間能力（例えば、ディスプレイ100の色能力に関してそれぞれ特徴付けされた色調応答を有する一組のネイティブ原色）に特徴付けし又は相関付けする。
【００２１】
較正係数を生成するための例示的な方法は、米国特許第8,654,142号に開示されている。
【００２２】
図示の例の較正システム102は、ディスプレイ100の較正された測定値を生成する。較正サイクルは、一般に所与のイベントに応じて（例えば、定期的に）ユーザインタフェイス122を介して開始することが可能であり、及び／又はユーザインタフェイス122を介してユーザにより設定することが可能なパラメータに基づいて開始することが可能である。例えば、ユーザインタフェイス122は、較正サイクルを開始するために及び／又はディスプレイ100の色空間情報（例えば、プリセットの色空間色域又は標準的な色空間色域、明るさ、ガンマ値など）を手動で調整するために、メニュー（例えば、オンスクリーンディスプレイ）を介したナビゲーションを可能にするためのボタン、リモコン、及び／又はその他の入力を含むことが可能である。実例によっては、図示の例の較正システム102は、ユーザインタフェイス122を介して設定することが可能な所与のイベント（例えば、タイマの満了）、較正開始設定、又は較正トリガ（例えば、ユーザにより定義された較正設定）に基づいて較正サイクルを自動的に開始する。較正トリガは、例えば、較正間の目標時間数（例えば、500時間毎）、特定の日又は時刻スケジュールなどを含むことが可能である。実例によっては、較正サイクルは、例えば、無線通信、パブリック及び／又はプライベートネットワークなどを介してディスプレイ100に通信可能な状態で接続された遠隔管理システムを介して開始することが可能である。実例によっては、入出力インタフェイス（例えば、ユニバーサルシリアルバスドライブ、ディスクドライブなど）を介してディスプレイ100に較正パラメータを提供する（例えば、アップロードする）ことが可能であり、及び／又は遠隔管理システムを介してディスプレイに較正パラメータを提供することが可能である。このため、本書で開示する例示的な較正システム102は、較正サイクルの手動による開始を可能にするものである。追加的又は代替的に、例示的な較正システム102は、ユーザ／人間の存在又はその支援を伴うことなく較正サイクルの自動的な開始を提供する。
【００２３】
較正が開始されると、較正モジュール114は、較正装置116を、非較正位置（例えば、ディスプレイ100のハウジング又はベゼル内の第１の位置）と較正位置（例えば、較正装置116がハウジングから延びてディスプレイパネル112の表示領域に隣接して位置する第２の位置）との間で移動させ又は該移動を行うよう駆動する。図示の例の較正装置116は、ディスプレイ100と一体的に形成されている。このため、ディスプレイ100の較正は、外部のセンサ又は装置を使用することなく行われる。非較正位置では、図示の例の較正装置116は、ディスプレイ100のハウジング内に（例えば、ディスプレイ100のベゼルの背後に）配置され又は隠される（例えば、収納される）。較正位置では、図示の例の較正装置116は、ディスプレイ100のハウジング内から少なくとも部分的に突出する。較正位置では、図示の例の較正装置116は、ディスプレイ100のディスプレイパネル112に隣接して１つ又は複数の較正センサを位置決めする。実例によっては、較正装置116は、１つのキャリア上に支持された１つのセンサを含む。実例によっては、較正装置116は、１つのキャリア上に支持された複数のセンサを含む。実例によっては、較正装置116は、ディスプレイ100上の異なる位置に配置することが可能な複数の較正装置116を含むことが可能である。実例によっては、複数の較正装置116のうちの対応する較正装置116が、１つのキャリアにより支持された１つ又は複数のセンサを含むことが可能である。図示の例の較正装置116は、非較正位置と較正位置との間で（例えば、モータを介して）自動的に移動する。実例によっては、較正装置116は、較正位置と非較正位置との間で（例えば、ユーザ／人間により）手動で移動させることが可能である。
【００２４】
図示の例の較正装置116が較正位置にあるとき、較正モジュール114は、較正装置116に関連する１つ以上の較正センサに隣接してディスプレイパネル112上にカラーパターンを生成するようディスプレイ駆動部110に命令する。次いで、例示的な較正装置116は、該カラーパターンにより提示された色設定の複数の測定値を測定する。例えば、該色設定は、原色、二次色、白色点、輝度などを含むことが可能である。対応する色設定及び／又は輝度について較正装置116により取得された測定された測定値（例えば、少なくとも５つの測定値）が、平均され、及びディスプレイ100を較正するために較正モジュール114により使用される。図５に関して以下で詳述するように、この例の較正モジュール114は、較正が実行された際に較正装置116により測定された平均値を使用して変換係数テーブル（例えば、事前（pre-）ＬＵＴ、マトリクス、及び／又は事後（post-）ＬＵＴ）を生成する。該変換係数は、図示の例のデータストア108に格納され、入力データ118により提供された色設定情報に基づいてディスプレイ100の色設定の相関付けを行うために色管理システム106により読み出される。このため、上述のように、図示の例の較正システム102は、較正が実行される場合には必ず変換係数テーブルを生成する。このようにして、変換係数テーブルは、工場でプリセットされたテーブルよりもディスプレイ100の性能特性を時間の経過と共に一層緊密に一致させ、これによりディスプレイ100の性能をその全寿命にわたって向上させるものとなる。
【００２５】
実例によっては、ディスプレイ100は、10ビットLCDパネル並びに赤、緑、及び青の発光ダイオード（LED）を組み込んだLEDバックライトとして構成することが可能であり、及び一層広いネイティブ色域を有することが可能であり、又は色が決定的に重要となる設定で使用される多くの標準化された出力装置の仕様よりも一層広いダイナミックレンジを提供することが可能である。かかる実例によっては、LCDパネルは、ディスプレイ100の単一のピクセルに対応する少なくとも３つのアドレス指定可能なサブピクセルを含む。該サブピクセルには、それぞれ10ビット値を割り当てることが可能である。該サブピクセルは、個々の色（例えば、赤、緑、又は青）のサブピクセルに対応する。したがって、10ビットLCDパネルを使用することができるので、単一のサブピクセルは、210レベルの強度を生成することができる。単一のピクセルが３つ（赤、緑、及び青）のサブピクセルに対応するので、ディスプレイの単一のピクセルから（210）3個の別々の色を再現することが可能である。本書で開示する例示的なディスプレイは、様々なビット深度をサポートするLCDパネルを採用することが可能である。更に、かかる実例によっては、LEDバックライトは、ディスプレイパネル112のサブピクセルの赤、緑、及び／又は青の最大レベルを調整することなく、バックライトを介した白色点制御を可能にする。換言すれば、バックライトの赤、緑、及び青のチャネルを独立して制御することができるため、赤、緑、及び青のサブピクセルに割り当てることが可能な最大サブピクセル値を補償することなく、白色点を選択し、及び／又は白色点を様々な標準的な出力装置の仕様に変更することができる。実例によっては、RGB LEDバックライトは、赤、緑、及び青の光及び／又はそれらの組み合わせを独立して放射することができる複数のLEDクラスタのアレイとして構成することが可能である。かかる実例によっては、バックライト（例えば、白色光）は、特に低照度状態で、LCDパネルのピクセルの視認性を改善するよう調整することが可能である（例えば、光の強度を増減させることが可能である）。更に、RGB LEDバックライトは、赤、緑、及び青の光を放射する能力を有する複数のLEDクラスタを含むので、該LEDクラスタのうち対応するLEDクラスタにより放射される赤、緑、及び青の光のレベルを変化させて、様々な輝度及び／又は白色点の設定をユーザの希望に合わせて生成すること又は標準的な出力装置の仕様に準拠させることが可能である。様々な標準的な出力装置の仕様は、異なる色域を定義することが可能であり、その各色相は異なる白色点の定義を有することが可能である。したがって、上述のように、RGB LEDバックライトは、選択された標準的な出力装置の仕様に応じて調整可能な白色点を可能とし、これは、代替的なバックライトの非白色出力を補償するためにLCDパネルの赤、緑、及び青のサブピクセルに割り当て可能な最大サブピクセル値を調整することなく、使用することが可能である。実例によっては、図示の例のディスプレイ100は、OLEDディスプレイ、LEDディスプレイ、プラズマディスプレイ、及び／又はその他の任意の種類のディスプレイとすることが可能である。実例によっては、ディスプレイ100は、ノートブック又はラップトップコンピ���ータ用のディスプレイ、モニタ、テレビ、及び／又はその他の１つ以上のイメージング装置とすることが可能である。
【００２６】
図２Ａ及び図２Ｂは、図１の例示的なディスプレイ100の例示的な一実施態様を示している。図２Ａは、非較正状態202にある較正装置116を有する例示的なディスプレイ100を示している。図２Ｂは、較正装置116を較正状態204で示す図１の例示的なディスプレイ100を示している。図２Ａ及び図２Ｂを参照すると、図示の例のディスプレイ100は、ハウジング206内に取り付けられたディスプレイパネル112（例えば、LCDパネル）を含むモニタである。図示の例のハウジング206は、ディスプレイパネル112の表示領域210の周囲（例えば、その外周）にベゼル208を形成している。
【００２７】
図示の例の較正装置116は、例えば図２Ａに示すような第１の位置212（例えば、非較正位置）と、例えば図２Ｂに示すような第２の位置214（例えば、較正位置）との間で配置可能又は移動可能である。非較正状態202では、図示の例の較正装置116は、ベゼル208の第１の部分216（例えば、オフセット部分）の背後に隠れている。例えば、図示の例の較正装置116は、ディスプレイ100正面に位置しておらず、及び／又はディスプレイ100の表示領域210を妨げない。例えば、図示の例の較正装置116は、該較正装置116が前記第１の位置212にある際に、ハウジング206内に位置し、又はディスプレイ100のベゼル208の背後に位置する（例えば、隠される）。換言すれば、図示の例の較正装置116が第１の位置212にある場合、ユーザがディスプレイ100の表示領域210を見ている際に較正装置116はユーザには見えない。このため、図示の例の較正装置116は、ディスプレイ100と一体的に形成されているが、較正装置116が使用されていない（例えば、第１の位置212にある）場合には、較正装置116はディスプレイパネル112の表示領域210を妨げない。較正装置116をハウジング206内から及び／又はベゼル208の正面部分216の背後から展開させることを可能にするために、図示の例のベゼル208の正面部分216は、第２の部分218から突出している（例えば、図３Ａ参照）。図示の例の較正装置116は、該較正装置116が第２の位置214（例えば、展開位置）にある際にベゼル208から突出し又は延びる。
【００２８】
図示の例の例示的な較正装置116は、長手方向軸222に沿った長さと（例えば、該長手方向軸と実質的に垂直な方向の）幅とを有する本体を形成するキャリア220を含む。図示の例のキャリア220の長さは幅よりも大きい。図示の例のキャリア220は、ハウジング206に対して移動可能（例えば回転可能）な状態で連結されている。第１の位置212では、図示の例のキャリア220の長手方向軸222は、水平方向224（例えばベゼル208の上側フレーム226の長手方向軸）に対して実質的に平行である。第２の位置214では、キャリア220の長手方向軸222は、ベゼル208の上側フレーム226に対して平行でない（例えば、実質的に垂直である）。図示の例のキャリア220は、その長手方向軸222が水平方向224（例えば、図２Ｂの向きの上側フレーム226）に対して平行でない（例えば、垂直な）向きで示されているが、該キャリア220は、上側フレーム226に対して他の向きで配置することが可能である。例えば、図示の例のキャリア220は、キャリア220が第２の位置214（例えば、較正位置）及び第１の位置212（例えば、非較正位置）にある際に、キャリア220の長手方向軸222が水平方向224に対して実質的に平行となるように位置決めすることが可能である。かかる実例によっては、キャリア220はスライド機構を介して展開することが可能である。
【００２９】
較正中にディスプレイパネル112により提示される色設定を測定するために、図示の例の較正装置116は較正センサ230を含む。例えば、図示の例の較正装置116は、第１の較正センサ230a及び第２の較正センサ230bを含む。実例によっては、較正装置116は、１つの較正センサ230又は３つ以上の較正センサ230を含む。図示の例のキャリア220は、較正センサ230を支持し又は保持する。より詳細には、図示の例の第１の較正センサ230aは、キャリア220の遠位端232に隣接して配置され、図示の例の第２の較正センサ230bは、第１の較正センサ230aに隣接して配置される。例えば、第１の較正センサ230aは第２の較正センサ230bから距離234（例えば、約1.27cm（0.5inch）〜2.54cm（1inch））だけ隔置される。第２の位置214において、図示の例のキャリア220は、第１のセンサ230aを、上側フレーム226又はベゼル208から距離240（例えば、約5.08cm（2inch）〜7.62cm（3inch））に位置決めする。実例によっては、較正装置116は、１つの較正センサ230のみ又は３つ以上の較正センサ230を含むことが可能である。
【００３０】
実例によっては、図示の例の較正装置116の較正センサ230は、第１の位置212と第２の位置214との間でディスプレイパネル112に対して位置決めすることが可能である。例えば、図示の例のキャリア220は、水平方向224に対して角度242で較正センサ230を位置決めすることが可能である。例えば、図示の例のキャリア220は、該キャリア220が第１の位置にある場合の水平方向224に対する（例えば、上側フレーム226に対して）0度の角度と、該キャリア220が第２の位置214にある場合の水平方向224に対する90度の角度との間に較正センサ230を位置決めすることが可能である。
【００３１】
ディスプレイ100を較正するために、キャリア220は第２の位置214に配置される。第２の位置214において、図示の例のキャリア220は、該キャリア220の長手方向軸222と水平方向224との間の角度242が90度の角度になるように、表示領域210に対して較正センサ230を位置決めする。図示の例では、キャリア220は較正プロセス中に第２の位置214に留まる。実例によっては、較正中に、キャリア220の長手方向軸222と水平方向224との間の角度242は10度〜90度となる。実例によっては、キャリア220は、較正プロセス中に、較正センサ230を、例えば、水平方向224に対して10度〜90度に位置決めすることが可能である。例えば、キャリア220は、較正サイクル中に水平方向224に対して10度〜90度の間で複数の異なる位置に（例えば、5度の増分で）移動することが可能である。
【００３２】
ディスプレイ100の較正中に、較正センサ230a及び／又は較正センサ230bは、所与の時間又は期間（例えば、約10〜50ms（ミリ秒））にわたって、較正モジュール114により提示される１つ以上の色設定について複数の測定値を取得する。この例では、較正モジュール114は、較正中に提示されるべきパターンの数（例えば、約10〜30パターン）、該パターンの色設定（例えば、グレースケール）、各色設定毎の測定値の数（例えば、５〜７つの測定値）、該測定値の頻度（例えば、5ms毎）、及び／又は色設定を測定する期間（例えば、50ms）を指定する。実例によっては、ユーザは（例えば、ユーザインタフェイス122を介して）、パターンの数、較正されるべき色設定、測定されるべき複数の色設定のうちの対応する色設定についての測定値の数及び／又は測定値の期間を定義することが可能である。
【００３３】
図示の例では、第１の較正センサ230a及び／又は第２の較正センサ230bにより複数の色設定のうち対応する色設定について測定された値は、較正精度を高めるために較正中に平均化される。実例によっては、較正センサ230aのみが、対応する色設定について複数の測定値を取得する。実例によっては、較正センサ230a,230bの両方が、較正中に提示された１つ以上の色設定の複数の測定値を取得する。例えば、較正センサ230a,230bは、ディスプレイパネル112上の同じ位置及び／又は２つ以上の異なる（例えば、隣接する）位置で対応する色設定についての複数の測定値を取得し又は測定する。実例によっては、較正センサ230a,230bは、ディスプレイ100上の２つ以上の異なる位置で同時に複数の測定値を取得し又は測定する。実例によっては、図示の例の較正センサ230は、異なる増分又は位置（例えば、水平方向226に対して0〜90度）で複数の測定値を取得し、及び図示の例の較正システム102が、該測定された色設定についての複数の測定値の平均を求める。実例によっては、第２のセンサ230bは、第１の較正センサ230aが故障した（例えば、損傷した）場合にバックアップセンサとして使用することが可能である。
【００３４】
図示の例の較正センサ230は、内蔵型較正センサ（例えば、比色計、XYZカラーフィルタなど）である。図示の例では、センサは、フィルタリングされた光検出器（例えば、フォトダイオード）を使用することにより可視スペクトルに沿った複数のスペクトルエネルギーの測定値を測定する三刺激比色計である。例えば、複数のセンサが複数のカラーフィルタを使用してカラーマッチングを提供することが可能である。実例によっては、較正センサ230は、ディスプレイパネル112の表示領域210（例えば、外面）に直接接触し又は係合することが可能である。実例によっては、較正センサ230がディスプレイパネル112の表示領域210に直接に接触しない又は係合しないように、較正センサ230をディスプレイパネル112の表示領域210から離間させることが可能である。実例によっては、第１の較正センサ230aを表示領域210と直接接触させることが可能であり、及び第２の較正センサ230bを表示領域210から離間させる（例えば、表示領域210に接触させない）ことが可能である。
【００３５】
図３Ａは、図２Ａ及び図２Ｂの例示的なディスプレイ100の一部を示している。図１のディスプレイ100のハウジング206は透明でないことが可能であるが、図３Ａのハウジング206は、説明のため透明のものとして図示されている。更に、例示的な較正装置116のキャリア220は、ハウジング206に対して第１の位置212に破線で示され、及びハウジング206に対して第２の位置214に実線で示されている。図示の例の較正装置116（例えば、キャリア220）を第１の位置212と第２の位置214との間で移動させ又は駆動するために、例示的な較正装置116は駆動システム302を使用する。図示の例の駆動システム302は、変速機306を介してキャリア220に動作可能な状態で連結されたモータ304を含む。図示の例のモータ304は、モータ支持体又は支持フレーム308を介してハウジング206に結合されている。
【００３６】
図示の例の変速機306は、平歯車312と噛み合っているウォームギア310を含むギアトレインである。図示の例のウォームギア310は、モータ304の出力シャフト314に結合され、平歯車312は、キャリア220の近位端316に結合され又は形成されている。次いで、図示の例のウォームギア310が平歯車312を駆動し、これにより、キャリア220を、ディスプレイ100の表示領域210に対して実質的に垂直な回転軸318を中心としてハウジング206又はベゼル208に対して回転させ又は回動させる。図示の例のウォームギア310は、水平方向224に対して角度242（例えば、0〜90度）にキャリア220を正確に位置決めすることを可能にする。更に、ハウジング206にロープロファイル（薄型）（例えば、より小さな設置面積）を提供するために、出力シャフト314の長手方向軸は、水平方向224（例えば、上側フレーム226）と平行であり、及び平歯車312の回転軸318は、出力シャフト314の長手方向軸に対して実質的に垂直に向けられている。実例によっては、変速機306は、ラックアンドピニオン、ベルト、プーリ、クラッチ、及び／又はその他の駆動構成要素を含むことが可能である。例えば、変速機は、ラックアンドピニオン構成要素を含み、ラックがサーボモータにより駆動されて、キャリア220に結合されたピニオンを駆動することが可能である。
【００３７】
較正装置116をハウジング206及び／又はベゼル208の正面部分216内に隠し又はそこから展開することを可能にするために、図示の例のハウジング206は通路又は開口部320（例えば、ポケット）を含む。ハウジング206内に開口部320を形成するために、図示の例のベゼル208の正面部分216は、少なくともキャリア220の厚さ324よりも大きい距離322だけ第２の部分218から突出している。図３Ａに示すように、開口部320は、較正装置116を受容する（例えば、収容する）寸法とされる。より詳細には、キャリア220はハウジング206からの干渉なしに開口部320内に配置することが可能である。
【００３８】
モータ304のフィードバック制御を達成するために、図示の例の駆動システム302は、第１のリミットスイッチ326及び第２のリミットスイッチ328を使用する。例えば、キャリア220が第１の位置212にあるときにモータ304への電力を遮断するために、例示的な駆動システムは第１のリミットスイッチ326を含む。図示の例の第１のリミットスイッチ326は、第１の位置212を超えるキャリア220の移動を止める。キャリア220が第２の位置214にあるときにモータ304への電力を遮断するために、図示の例の駆動システム302は第２のリミットスイッチ328を含む。このため、図示の例の第２のリミットスイッチ328は、第２の位置214を超えるキャリア220の移動を止める。実例によっては、駆動システム302は、機械的な停止部、一時接触スイッチ、光スイッチ、及び／又は任意の他の適当なフィードバック装置を含むことが可能である。実例によっては、駆動システム302は、第１の位置212と第２の位置214との間のキャリア220の角度位置（図２Ｂの角度242）を決定するためにエンコーダを使用することが可能である。例えば、較正装置116は、キャリア220（例えば、キャリア220の長手方向軸222）が水平方向224に対して所望の角度（例えば、45度の角度）にあるときにモータ304を停止させるためにエンコーダを使用することが可能である。
【００３９】
図３Ｂは、図２Ａ、図２Ｂ、及び図３Ａのキャリア220の断面図である。図示の例のキャリア220は、前面332と該前面332の反対側の後面334とにより画定される厚さ寸法324を有する。図示の例の較正センサ230は、該較正センサ230の検知面338が前面332の方を向くようにキャリア220に結合されている。図示の例の前面332は、較正装置116が第２の位置214（例えば、図２Ｂに示すような較正状態）にあるときに、ディスプレイパネル112の表示領域210（図２Ａ）に面し又は該表示領域210の方を向くようになっている。ディスプレイ100の環境内の周囲の迷光（例えば、ディスプレイ100が配置されている部屋の中の光）が較正センサ230に到達する（例えば、較正センサ230の精度に影響を与える）のを防止することを助けるために、較正センサ230は、キャリア220の前面332内に形成された開口部336内に配置されている。開口部336内に配置されると、図示の例の較正センサ230の検知面338は、前面332に対して距離340（例えば、約3.18〜12.7mm（1/8〜1/2inch））だけオフセットされ又は奥まっている。このようにして、前面332は、検知面338を遮蔽して、較正中に環境内の周囲の迷光が較正センサ230に到達するのを防ぐのを助ける。実例によっては、較正センサ230の検知面338は、キャリア220の前面332と同一平面上にあり又は該前面332と位置合わせされていることが可能である。実例によっては、較正センサ230の検知面338は、キャリア220の前面332から、後面334から離れる方向に（例えば、ディスプレイパネル112の表示領域210に向かって）突出する（例えば、前面332から離間するように延びる）ことが可能である。更に、図示の例のキャリア220は、キャリア220の幅寸法346を画定する、第１の側面342と該第１の側面342の反対側の第２の側面344とを含む。周囲の迷光が較正センサ230に達するのを減らすのを助けるために、較正センサ230は、キャリア220の幅346のほぼ中間点348に配置される。このようにして、前面332の第１の部分350及び前面332の第２の部分352は、周囲の迷光から較正センサ230を遮蔽する。追加的に又は代替的に、実例によっては、第１の側面342及び／又は第２の側面344に隣接する前面332の少なくとも所与の長さに沿ってシールド354（例えば、フェルト、ゴム片など）を配設して、較正センサ230を周囲の迷光から遮蔽することが可能である。実例によっては、シールド354は、開口部336に隣接する前面332の少なくとも一部356（例えば、隅）に沿って配設することが可能である。キャリア220及び／又はシールド354は、プラスチック材料、ゴム材料、フェルト、及び／又はその他の任意の適当な材料から構成することが可能である。
【００４０】
図４Ａ及び図４Ｂは、図１の例示的なディスプレイ100の別の例示的な実施形態を示している。図示の例のディスプレイ100は、図４Ａでは非較正状態402で示され、図４Ｂでは較正状態404で示されている。図示の例の較正システム102は、例えば図４Ａに示すような第１の位置403（例えば、非較正位置）と、例えば図４Ｂに示すような第２の位置405（例えば、較正位置）との間で展開可能な複数の較正装置116'を含む。図４Ａ及び図４Ｂの較正装置116'は、図１、図２Ａ、図２Ｂ、図３Ａ、及び図３Ｂの較正装置116と実質的に同様又は同一のものである。上記で説明した図１、図２Ａ、図２Ｂ、図３の較正装置116の構成要素と実質的に同様又は同一であり、及びそれら構成要素の機能と実質的に同様又は同一の機能を有する、図４Ａ及び図４Ｂの例示的な較正装置116'の構成要素については、以下で再び詳細に説明しないこととする。関心のある読者は、上記の対応する説明を参照されたい。このプロセスを容易にするために、同様の構造には同様の符号を使用することとする。例えば、図示の例の較正装置116'は、図１、図２Ａ、図２Ｂ、図３Ａ、及び図３Ｂの較正装置116と同様又は同一の、キャリア220、長手方向軸222、駆動システム302、及び較正センサ230,230a,230bを含む。
【００４１】
図４Ａ及び図４Ｂを参照すると、図示の例のディスプレイ100は、ハウジング406内に取り付けられたディスプレイパネル112（例えば、LCDパネル）を含むモニタである。図示の例のハウジング406は、ディスプレイパネル112の表示領域210の周りにベゼル408を形成する。非較正状態402では、較正装置116'は、ディスプレイ100の正面に位置せず及び／又はディスプレイ100の表示領域210を妨げない。例えば、図示の例の較正装置116'は、較正装置116'が図４Ａに示すように第１の位置402にあるときに、ハウジング406内に配置され、又はディスプレイ100のベゼル408の背後に配置される（例えば、隠される）。換言すれば、図示の例のディスプレイ100が非較正状態402にあるとき、図示の例の較正装置116'は、ユーザがディスプレイ100の表示領域210を見ているときに該ユーザには見えない。例えば、図示の例のベゼル408は、較正装置116'をベゼル408の背後及び／又はハウジング406内に配置することを可能にする開口部412（例えば、ポケット）を含む。例えば、図４Ｂに示すように、図示の例の較正装置116'は、図示の例のディスプレイ406が較正状態404（例えば、図２Ｂ）にある際に、ハウジング406内及び／又はベゼル408の背後から展開され、及び（例えば、それぞれの較正装置116'のキャリア220が）ベゼル408から少なくとも部分的に突出する。
【００４２】
図示の例の例示的な較正装置116'は、ディスプレイ100の異なる領域又は区画414の較正を可能にする。例えば、第１の較正装置116a'は、表示領域210の第１の区画414a（例えば、第１象限）に配設され、図示の例の第２の較正装置116b'は、第２の区画414b（例えば、第２象限）に配設され、図示の例の第３の較正装置116c'は、第３の区画414c（例えば、第３象限）に配設され、図示の例の第４の較正装置116d'は、第４の区画414d（例えば、第４象限）に配設される。例えば、図４Ａ及び図４Ｂの向きでは、第１の較正装置116a'は、ハウジング406の上側フレーム406aに対して移動し、第２の較正装置116b'は、ハウジング406の左側フレーム406bに対して移動し、第３の較正装置116c'は、ハウジング406の下側フレーム406cに対して移動し、及び第４の較正装置116d'は、ハウジング406の右側フレーム406dに対して移動する。
【００４３】
第１の較正装置116a'及び第３の較正装置116c'は、それぞれ、上側フレーム406a及び下側フレーム406cに対して、0度（例えば、水平方向）と90度（例えば、垂直方向）との間で回転する（例えば、位置決めすることが可能である）。第２の較正装置116b'及び第４の較正装置116d'は、それぞれ、左側フレーム406b及び右側フレーム406dに対して、0度（例えば、水平方向）と90度（例えば、垂直方向）との間で回転する（例えば、位置決めすることが可能である）。上側フレーム406a、下側フレーム406c、左側フレーム406b、及び右側フレーム406dは、それぞれの較正装置116'を受容するためにベゼル408により形成された開口部（例えば、図３Ａの開口部320と同様のもの）を含む。
【００４４】
図示の例の較正装置116'のキャリア220は、複数の較正センサ230を支持している。図示の例の複数の較正センサ230は、比色計（例えば、カラーフィルタを有するXYZセンサ）である。実例によっては、各較正装置116'は１つのセンサ又は３つ以上のセンサを支持することが可能である。較正装置116'は、それぞれの区画414a〜414dの表示領域210から測定値を測定し又は取得する。実例によっては、較正装置116'は、較正中にディスプレイ100の異なる区画414a〜414dで（例えば、同時に）色設定の測定値を測定し又は取得することが可能である。例えば、較正装置116'は、区画414a〜414dのうちの対応する区画内の表示領域210の２つの隣接する位置で色設定値を測定することが可能である。実例によっては、色設定は、異なる区画414a〜414dにおいて異なる目標値に較正することが可能である。測定された色設定のうちの対応する測定値について異なる区画から得られた値は、較正中に平均化することが可能である。実例によっては、図示の例の較正装置116'は、異なる区画414の間、表示領域210の上半分（例えば、第１の区画414a及び第２の区画414b）と表示領域210の下半分（例えば、第３の区画414c及び第４の区画414d）との間、及び／又は表示領域210の左側（例えば、第２の区画414b及び第３の区画414c）と表示領域210の右側（例えば、第１の区画414a及び第４の区画414d）との間に、色及び／又は輝度の偏差が存在するか否かを判定する。
【００４５】
図５は、図１、図２Ａ、図２Ｂ、図３、図４Ａ、及び／又は図４Ｂの例示的なディスプレイ100を実施するために使用することが可能な例示的な較正システム102の例示的な実施態様を示すブロック図である。上述のように、図示の例の較正システム102は、ディスプレイ100の能力を提示することができないプリセットのルックアップテーブルを単に使用する（例えば、修正する）のではなく、較正プロセスの一部として色較正用のルックアップテーブルを生成する。例えば、較正のための解決策によっては、較正用の単純な一組の輝度の測定値を実施する。これとは対照的に、図示の例の較正システム102は、各較正毎に新しい一組のルックアップテーブルを生成する。
【００４６】
図５を参照すると、図示の例の較正モジュール114は、例示的な較正開始部502、例示的な較正装置駆動部504、例示的な較正管理部506、例示的なデータ収集部508、例示的な較正パラメータ決定部510、例示的な検証部512、例示的なパターン生成部514、及び例示的なデータストア516を含み、これらは通信バス520を介して通信可能な状態にある。
【００４７】
図示の例の較正開始部502は、較正管理部506を開始させてディスプレイパネル112の較正を実行させる。この例の較正開始部502は、図１のユーザインタフェイス122及び／又はデータストア108に通信可能な状態で結合されている。図示の例の較正開始部502は、較正を開始させるための手動による指示を受容することが可能であり、又は人からの支援を伴うことなく自動的に較正を開始させることが可能である。例えば、較正開始部502は、ユーザインタフェイス122を介してユーザから手動での指示（例えば手動入力）、又は較正管理部506にディスプレイ100を較正させるデータストア108からの自動命令を受信する。例えば、データストア108は、較正を開始するためのスケジュール（例えば、日付と時刻）（例えば、毎週日曜日の正午）を含むことが可能である。実例によっては、データストア108は、較正を開始するためのイベントトリガ（例えば、較正が最後に実行されてからのディスプレイ100の使用時間数など）を含むことが可能である。図示の例の較正開始部502は、ディスプレイ100が250時間使用される毎に較正を開始するようにユーザインタフェイス122を介して構成することが可能である。実例によっては、自動較正プロセス中に、例示的な較正開始部502は、ディスプレイ100を起動させ、所定のウォームアップ期間の後（例えば、30分などの特定の期間の後）に較正を開始する。ディスプレイのウォームアップを可能とすることにより、ディスプレイのバックライトを安定させることが可能となる。実例によっては、そのウォームアップ期間は、所定の閾値時間の満了後（例えば、30分後）に決定される。実例によっては、較正開始部502は、（例えば、無線接続、有線接続、インターネットプロトコル、ネットワークなどを介して）較正開始部502に通信可能な状態で結合された遠隔管理システムを介して遠隔で較正命令を受信することが可能である。較正データは、較正前及び／又は較正後に遠隔管理システムを介して収集し及び／又は分析することが可能である。かかる実例によっては、ユーザインタフェイス122は、較正の前に遠隔管理システムから通知を受信することが可能であり、該較正は、例えばユーザインタフェイス122を介して、ユーザにより無効にすることが可能である。
【００４８】
図示の例の較正管理部506は、較正装置駆動部504に通信可能な状態で結合されている。較正開始部502が較正を開始すると、図示の例の較正装置駆動部504は、それぞれの較正装置116又は較正装置116'の駆動システム302を制御する（例えば、モータ304を動作させる）。例えば、較正装置駆動部504は、図２Ａ及び図２Ｂの較正装置116を、図２Ａ及び図２Ｂに示すように第１の位置212と第２の位置214との間で移動させる。第２の位置214において、較正装置116の較正センサ230は、ディスプレイパネル112により提示された光出力特性を測定するよう位置決めされる。同様に、較正装置駆動部504は、図４Ａ及び図４Ｂの較正装置116'を較正状態404へと移動させて、図４Ａ及び図４Ｂのディスプレイパネル112の異なる区画414a〜414dにおける光出力特性を測定する。
【００４９】
更に、図示の例の較正管理部506は、較正パラメータ決定部510から較正パラメータを受信する。較正パラメータ決定部510は、ディスプレイ100が較正し又は適合することになるプリセット色空間情報又は設定をデータストア516から読み出す。実例によっては、較正パラメータは、プリセット原色、ガンマ曲線、及び／又は輝度の設定を含むことが可能である。例えば、標準又はプリセット色空間値は、例えば、sRGB D65、sRGB D50、Adobe RGB、BT.709、BT.2020、及びディスプレイのネイティブ原色を含むことが可能である。ガンマ曲線値は、1.0から3.0の値（例えば、典型的な値は、2.2〜2.6）を含むことが可能である。実例によっては、標準プリセットの設定（例えば、色設定）は、ユーザが修正することが可能であり、及び／又はユーザが（例えば、ユーザインタフェイス122を介して）異なるプリセットを予め定義することが可能である。例えば、ユーザは、標準プリセット（例えば、sRGB標準プリセット）の緑色値よりも暗くなるように緑色値を調整することが可能である。実例によっては、色空間情報は、遠隔管理システムを介してデータストア508に提供することが可能である。
【００５０】
ディスプレイ100を較正するために、図示の例の較正管理部506は、選択された色空間情報に関連する複数の色設定をディスプレイパネル112上に表示するパターンを生成するようパターン生成部514に命令する。例えば、パターン生成部514により生成されるパターンは、選択された標準プリセット色空間、ガンマ曲線、及び／又は輝度に基づくものとすることが可能である。例えば、パターン生成部514により生成されるパターンは、色（例えば、原色及び二次色）、グレースケール、又は輝度のフィールド又はウィンドウを含むことが可能である。例えば、一定の増分（5パーセントの増分、10パーセントの増分など）で変化する複数のパターン（例えば、30のパターン）を（例えば、赤、緑、青、完全な黒から完全な白まで、グレースケール値などを含むパターンを次々と）表示することが可能である。この例のパターン生成部514は、例えば、図１のディスプレイ駆動部110を介して、ディスプレイパネル112の赤、緑、及び青の色出力を制御する。カラーパターンは、ディスプレイパネル112のLEDの赤レベル、緑レベル、青レベル、及び輝度レベルを調整することにより提供される。
【００５１】
パターンが生成されると、図示の例の較正センサ230は、該生成されたパターンにより提示された色設定及び／又は輝度レベルのうちの対応するものについての複数の測定値を測定又は取得する。生成されたパターンは、複数の異なる色設定（例えば、原色、二次色、グレースケール）、白色点値、及び／又は輝度値を表示することを含むことが可能である。例えば、生成されたパターンは、較正センサ230が原色についての三刺激値とグレースケールについての三刺激値とを測定することを可能にするためにディスプレイパネル112の表示領域210上に提示されるイメージ又はパターンを含むことが可能であり、この場合、該三刺激値は、X,Y,Z刺激値を含み、該グレースケールは、グレースケール値0〜255を含み、原色は、赤（R255）、緑（G255）、及び青（B255）の値を含む。
【００５２】
図示の例の較正センサ230は、複数の色設定のうちの対応する色設定について指定された期間（例えば、50ms）にわたって複数の指定された測定値又は読み（例えば、10個の測定値）を取得する。実例によっては、較正センサ230は、ディスプレイ100の表示領域210の同じ位置で複数の測定値を測定する。実例によっては、較正センサ230は、ディスプレイ100の表示領域210上の異なる位置で色設定の測定値を測定する。実例によっては、較正センサ230は、表示領域上の異なる位置における異なる色設定の測定値を同時に測定する。実例によっては、パターン生成部514により生成されたパターンは、バックライトをオンにした状態で測定された標準的な一組のパターンを含むことが可能であり、及び（例えば、周囲の迷光を較正測定値から除去する場合に）バックライトをオフにした状態で測定されるよう該標準的な一組のパターンの測定を繰り返すことが可能である。
【００５３】
図示の例の較正センサ230からの信号は、データ収集部508に伝達される。較正センサ230によりデータ収集部508に提供される信号は、測定された色設定の光エネルギー又は１つ以上の光波特性に関する生データを含むことが可能である。データ収集部508は、分析された複数の色設定及び／又は輝度レベルのうちの対応するものについての測定値（例えば、平均化されるべき複数の測定値）を受信する。実例によっては、データ収集部508は、複数の色設定及び／又は輝度のうちの対応するものについて測定された信号を識別するための信号識別子を含む。換言すれば、実例によっては、データ収集部508は、較正管理部506による使用のために平均化されることになる複数の色設定のうちの対応するものに関連するセンサの測定値を識別し及び分離させる。実例によっては、データ収集部508は、生データをコンピュータで処理可能な電気信号へと変換し、これを使用して、分析された色設定の測定値を決定することが可能である。図示の例のデータ収集部508は、１つ以上の色設定及び／又は１つ以上の輝度レベルのそれぞれについて取得された測定値の平均値を計算する。このため、データ収集部508は、パターン生成部514により提示された複数の色設定のうちの対応するものについてそれぞれの平均値を計算する。
【００５４】
図示の例のデータ収集部508は、較正センサ230により測定された複数の色設定の平均値を較正管理部506へ通信する。その平均測定値は、較正プロセス中に較正管理部506により使用される色調（例えば、原色、二次色）、白色点、及び／又は明るさ（例えば、輝度及びグレースケール）を表すものとすることが可能である。図示の例の較正管理部506は、ディスプレイ100の出力色設定及び／又は輝度（例えば、グレースケール表示）を最適化するために補正ルックアップテーブル（事前ＬＵＴ、3×3行列、及び事後ＬＵＴ）を生成することによりディスプレイ100の入出力補正を決定する。実行された各較正毎に、図示の例の較正管理部506は、入出力補正ルックアップテーブル（例えば、較正された測定値）を生成する。例えば、図示の例の較正管理部506は、対応する色設定及び／又は輝度設定についての測定値の平均値を、較正プロセス中に使用される較正プロセスのための入力値として使用する。このため、図示の例の較正モジュール114は、データ収集部508により決定された平均値に基づいて較正された測定値を決定する。実例によっては、較正センサ230により提供される測定値の平均値を使用することにより、較正センサ230（例えば、比色計）に固有のノイズ（例えば、グレースケールノイズ）又はその他の不正確さ若しくは不一致を補償することが可能となる。例えば、較正センサ230は、ホワイトバランス又は白色点、グレースケール、及び／又は輝度値を測定する際に、不一致の又は不正確な測定値を提供する可能性がある。このため、較正中に測定された複数の色設定及び／又は輝度パターンのうちの対応するものについて複数の測定値の平均値を使用してディスプレイ100を較正することにより、本書で開示する例示的な方法及び装置は、（例えば、較正センサ230に固有のノイズを平均化し、又は複数の異なる較正センサ230の測定値の間の不一致を検出することにより）較正精度を向上させる。実例によっては、より低コストのセンサを使用することが可能となる。実例によっては、ディスプレイパネル112の複数の異なる部分にわたる複数の輝度レベルを同時に測定して、ディスプレイパネル112の異なる部分（例えば、各区画414）にわたるディスプレイ100のバックライトにより提供される輝度の不一致を決定することが可能である。実例によっては、図４Ａ及び図４Ｂの例示的な表示領域210の複数の区画414間で色設定及び／又は輝度偏差を決定することが可能である。
【００５５】
図示の例のディスプレイ100は、ネイティブ原色を再現することができる色域のデフォルト色空間としてネイティブモードを使用する。較正なしでは、ネイティブモードで動作しているディスプレイ100は、駆動ソース120の入力データ118について実行される色処理を全く有さず又は殆ど有さないことになる。改善された色精度を提供するために、較正された相関テーブルを使用してガンマの個々の差異についてネイティブモードのネイティブ原色が補正される。例えば、較正された相関テーブルは、（例えば、事前ルックアップテーブル（事前ＬＵＴ）、事後ルックアップテーブル（事後ＬＵＴ）、及び行列乗数（例えば、３×３乗数）を決定するための測定された色空間の逆変換を含む）較正プロセスを使用して生成することが可能である。
【００５６】
例えば、ビデオ接続の中には、ビデオディスプレイに対して８ビット／カラー・インタフェイスをサポートするものがある。それにもかかわらず、図示の例のディスプレイ100は、８ビットカラーのみに限定されるものではない。赤-緑-青（RGB）の一組の原色では、これは24ビット（8×3）の「トゥルーカラー」ディスプレイと称することが可能である。図示の例のディスプレイ100は、線形色空間でビット深度拡張ハードウェアを使用して色空間操作を実行することにより、かかる24ビットを遙かに効果的に使用することが可能である。例えば、かかる24ビットは、ガンマエンコードされた色空間フォーマット（例えば、sRGB、Adobe（登録商標）RGB、Rec.709（HDTV）、SMPTE-C、SMPTE-431-2、又はその他の規格など）でディスプレイに提示される。較正管理部506は、かかるエンコードされたフォーマットを選択し、及び24ビットを拡張されたビット深度（例えば、36ビット幅（3×12）のR'G'B'線形色空間など）に変換することが可能である。換言すれば、較正管理部506は、拡張ビット深度線形色空間とすることが可能であり、及び駆動ソース120から提示されたエンコードされた色空間のデコードバージョンである、事前ルックアップテーブル（事前ＬＵＴ）を作成する。この拡張ビット深度R'G'B'線形色空間は、３×３行列乗数を使用して、エンコードされた色空間を一組の拡張ビット深度R"G"B"線形ネイティブ原色へと並べ替えるために使用される。次いで、一組の拡張ビット深度R"G"B"線形ネイティブ原色が、ディスプレイパネル112のための個々の色調応答を有する一組のネイティブなエンコードされた原色へと個別にエンコードされる。すなわち、各ネイティブ原色は、ディスプレイ100により使用される一意でおそらくは異なる色調応答を有する。このマルチ多色調応答エンコード処理を生成するために、ディスプレイ100のネイティブ原色は、それらの個々の色度、実際に測定された色調応答、並びに３×３乗数係数及び線形原色からネイティブ原色へのマルチガンマエンコード処理ルックアップテーブルを提供するために使用されたデータに関して特徴付けられる。
【００５７】
図示の例のディスプレイ100の対応する原色の測定された色調応答は、線形強度データを個々のパネルの原色の色調応答へと変換する一組の事後ＬＵＴテーブルをプログラムするために使用される。白色点及び個々の色調応答エンコード方式のためのこのマルチ原色色度シフト処理は、原色（例えば、赤、青、及び緑）を再現することを可能にする。基本的に、ディスプレイ100の好適な色調応答は、入力される駆動ソースの色空間を変換するために事前ＬＵＴで使用される色調応答となる。これは、ディスプレイパネル112の原色間の大部分の差異が補償されているからである。実例によっては、複数の色調応答のそれぞれの設定を予め設定し又は事前ＬＵＴにダウンロードすることが可能である。かかる色調応答は、単純なガンマ関数、オフセット付き線形プラスガンマ（sRGB）、及びダウンロード可能な曲線を含むことが可能である。
【００５８】
このため、本書で開示する例示的な方法及び装置は、ディスプレイ100のネイティブな応答に基づいて較正を実行する。したがって、較正中にディスプレイ100内の欠陥が測定され分析されて該欠陥が補償される。ディスプレイ100がそのネイティブ状態で提示する色と、較正測定値を生成するために較正中に使用される（例えば、較正中に使用される標準的な色空間に関連する）真の色との間の差は、ディスプレイ100が、該標準的な色空間に関連する真の色を、ディスプレイパネルがそのネイティブ状態で提示する色よりも一層厳密に提示することを可能にする。このため、較正センサ230によって得られた平均値により決定された較正された測定値（例えば、調整され又は補正された入力値）は、ディスプレイ100が、入力データ118の色設定に厳密に一致する色空間値を出力することを可能にする。適当な較正プロセスに関する更なる説明は、米国特許第8,654,142号に見出すことが可能である。
【００５９】
較正された測定値が較正管理部506により決定された後、図示の例の検証部512は、較正された測定値の精度を検証する。例えば、検証部512は、（例えば、比較器を介して）較正された測定値をデータストア516から読み出された目標値と比較する。該目標値は、例えば、目標原色（赤、緑、青）、目標白色点、及び／又はCIE xy又はCIE u'v'値に基づくものとすることが可能な目標輝度値を含むことが可能である。検証部512は、各目標原色、目標白色点、及び／又は目標輝度について、較正された測定値がしきい値を満たす（例えば、該閾値未満になる）まで、較正された測定値と目標値とを比較する。例えば、該閾値は、例えば、全てのＲＧＢ原色についての色調応答の検証とすることが可能である。例えば、該閾値は、赤、緑、及び青の原色値が等しい場合に測定される彩度及び輝度差とすることが可能である（例えば、閾値は、３以下の彩度差及び0.6以下の輝度差とすることが可能である）。
【００６０】
較正された測定値が検証部512により検証されると、較正管理部506は、図１の色管理システム106により使用するためにデータストア108内に較正された測定値（例えば、ルックアップテーブル）を格納する。更に、較正された測定値が閾値を満たすと検証部512が判定した場合、検証部512は較正マネージャ506に較正プロセスを終了させる。次いで、較正管理部506は、較正装置駆動部504に較正装置116,116'を較正状態204,404（例えば、第２の位置214,405）から非較正状態202,402（例えば、第１の位置212,403）へと移動させる。
【００６１】
図１の較正システム102を実施する例示的な態様を図５に示すが、図５に示す構成要素、プロセス、及び／又は装置は、他の態様で組み合わせ、分割し、再配置し、省略し、除外し、及び／又は実施することが可能である。更に、例示的な較正開始部502、例示的な較正装置駆動部504、例示的な較正管理部506、例示的なデータ収集部508、例示的な較正パラメータ決定部510、例示的な検証部512、例示的なパターン生成部514、及び例示的なデータストア516、及び／又は、より一般的には、図１及び図５の例示的な較正システム102は、ハードウェア、ソフトウェア、ファームウェア、及び／又は、ハードウェア、ソフトウェア、及び／又はファームウェアの任意の組み合わせにより実施することが可能である。このため、例えば、例示的な較正開始部502、例示的な較正装置駆動部504、例示的な較正管理部506、例示的なデータ収集部508、例示的な較正パラメータ決定部510、例示的な検証部512、例示的なパターン生成部514、及び例示的なデータストア516、及び／又は、より一般的には、例示的な較正システム102は何れも、１つ以上のアナログ又はデジタル回路、１つ以上の論理回路、１つ以上のプログラマブルプロセッサ、１つ以上の特定用途向け集積回路（ASIC）、１つ以上のプログラマブル論理デバイス（PLD）、及び／又は１つ以上のフィールドプログラマブル論理デバイス（FPLD）により実施することが可能である。純粋にソフトウェア及び／又はファームウェアによる実施を含めるように本開示の装置又はシステムの請求項を解釈する場合には、本開示の少なくとも一例では、例示的な較正開始部502、例示的な較正装置駆動部504、例示的な較正管理部506、例示的なデータ収集部508、例示的な較正パラメータ決定部510、例示的な検証部512、例示的なパターン生成部514、及び例示的なデータストア516は、ソフトウェア及び／又はファームウェアを格納するメモリ、ディジタル多用途ディスク（DVD）、コンパクトディスク（CD）、Blu-ray（登録商標）ディスク等といった有形のコンピュータ読み取り可能記憶装置又は記憶ディスクを含むよう明示的に定義される。更に、例示的な較正システム102は、図５に示すものに加えて又はそれらに代えて、複数の構成要素、複数のプロセス、及び／又は複数の装置を含むことが可能であり、及び／又は、例示した複数の構成要素、複数のプロセス、及び複数の装置の何れか又はそれら全てのうちの２つ以上を含むことが可能である。
【００６２】
図１及び図５の較正システム102を実施するための例示的なマシン読み取り可能命令を表すフローチャートを図６ないし図８に示す。かかる実例では、マシン読み取り可能命令は、図９に関して以下で説明する例示的なプロセッサプラットフォーム900に示すプロセッサ912等のプロセッサにより実行するためのプログラムを含む。該プログラムは、プロセッサ912に関連するCD-ROM、フロッピー（登録商標）ディスク、ハードディスクドライブ、デジタル多用途ディスク（DVD）、Blu-ray（登録商標）ディスク、又はメモリなどの有形のコンピュータ読み取り可能記憶媒体に格納されたソフトウェアで実施することが可能であるが、代替的に、プログラム全体及び／又はその一部を、プロセッサ912以外の装置により実行すること及び／又はファームウェア又は専用ハードウェアで実施することが可能である。更に、図６ないし図８に示すフローチャートに関して例示的なプログラムについて説明したが、例示的な構成システム102を実施するための他の多くの方法を代替的に使用することが可能である。例えば、各ブロックの実効順を変更することが可能であり、及び／又は説明した複数のブロックのうちの一部を変更し、除外し、又は組み合わせることが可能である。
【００６３】
上述したように、図６ないし図８の例示的なプロセスは、ハードディスクドライブ、フラッシュメモリ、リードオンリーメモリ（ROM）、コンパクトディスク（CD）、ディジタル多用途ディスク（DVD）、キャッシュ、ランダムアクセスメモリ（RAM）、及び／又は（情報が任意の期間にわたり（例えば、長期間にわたり、永久的に、短期間にわたり、一時的なバッファリングのために、及び／又は情報のキャッシングのために）格納される）その他の任意の記憶装置又は記憶ディスクといった、有形のコンピュータ読み取り可能記憶媒体に格納された符号化命令（例えば、コンピュータ及び／又はマシン読み取り可能命令）を使用して実施することが可能である。本書で用いる場合、用語「有形のコンピュータ読み取り可能記憶媒体」は、任意のタイプのコンピュータ読み取り可能記憶装置及び／又は記憶ディスクを含み及び伝搬する信号及び伝送媒体を除外するものとして明示的に定義される。本書で用いる場合、「有形のコンピュータ読み取り可能記憶媒体」及び「有形のマシン読み取り可能記憶媒体」は同義で使用される。追加的に又は代替的に、図６ないし図８の例示的なプロセスは、ハードディスクドライブ、フラッシュメモリ、リードオンリーメモリ、コンパクトディスク、デジタル多用途ディスク、キャッシュ、ランダムアクセスメモリ、及び／又は（情報が任意の期間にわたり（例えば、長期間にわたり、永久的に、短期間にわたり、一時的なバッファリングのために、及び／又は情報のキャッシングのために）格納される）その他の任意の記憶装置又は記憶ディスクといった、非一時的なコンピュータ及び／又はマシン読み取り可能媒体に格納された符号化命令（例えば、コンピュータ及び／又はマシン読み取り可能命令）を使用して実施することが可能である。本書で用いる場合、用語「非一時的なコンピュータ読み取り可能媒体」は、任意のタイプのコンピュータ読み取り可能記憶装置及び／又は記憶ディスクを含み、及び伝搬する信号及び伝送媒体を除外するものとして明示的に定義される。本書で用いる場合、表現「少なくとも」を請求項の前文で遷移的な用語として使用する場合、該表現は、用語「含む」が制限を有さないのと同様に制限を有さないものである。
【００６４】
図６を参照すると、同図のプログラム600がブロック602で開始し、較正管理部506が、１つ以上の較正センサ230に隣接するディスプレイパネル112の表示領域210に複数の色設定を提示する。１つ以上の較正センサ230は、複数の色設定のうちの対応する色設定について複数の測定値を測定する（ブロック604）。例えば、第１の較正センサ230aは、指定された期間にわたって提示された複数の色設定のうちの対応する色設定についての複数の測定値（例えば、10個の測定値、5ms毎、50msにわたり複数の測定値など）を測定することが可能である。実例によっては、第１の較正センサ230a及び第２の較正センサ230bは、カラーパターンにより提示された各色設定毎にディスプレイ100の２つの隣接する領域における測定値を取得する。実例によっては、較正センサ230は、複数の色の測定値のうちの対応する測定値についてディスプレイの異なる区画414a〜414dにおける測定値を取得し又は測定する。
【００６５】
データ収集部508は、１つ以上の較正センサ230により取得された複数の測定された色設定のうちの対応する色設定についての複数の測定値のうちの対応する測定値のそれぞれの平均値を計算する（ブロック606）。較正管理部506は、該平均値に基づき、較正された測定値を生成する（ブロック608）。例えば、較正された測定値は、駆動ソース120から受信した入力データ118の色空間情報と相関させるようにディスプレイ100の出力を調整する場合に図１の色管理システム106により使用することができるルックアップテーブルとすることが可能である。色管理システム106は、較正された測定値に基づいてディスプレイ100の色空間情報を調整する（ブロック610）。
【００６６】
図７を参照すると、同図のプログラム700がブロック702で開始し、較正開始部502が、ディスプレイ100の較正を開始させる。例えば、較正開始部502は、較正を開始するための命令をユーザインタフェイス122から受信し、及び／又はデータストア108から読み出した命令に基づいて自動的に較正を開始する。較正開始部502は、色管理システム106により使用されるルックアップテーブルを生成するために較正管理部506を開始させる。
【００６７】
較正装置駆動部504は、１つ以上の較正センサ230をディスプレイ100の表示領域210に隣接して位置決めし又は配置する（ブロック704）。例えば、較正装置駆動部504は、図３Ａの駆動システム302のモータ304に電力を供給して、キャリア220を、図２Ａに示す第１の位置212から図２Ｂに示す第２の位置214へと移動させる。キャリア220が第２のリミットスイッチ328と係合すると、モータ304への電力が遮断されてキャリア220が第２の位置214で停止する。図示の例の較正管理部506は、ディスプレイ100の設定をネイティブモード又はネイティブ性能へと変更する（ブロック706）。ネイティブモードでのディスプレイ100の色空間の設定により、較正管理部506は、ディスプレイ100の表示領域210の少なくとも一部における複数の色設定を生成し又は提示するようパターン生成部514に命令する（ブロック708）。例えば、パターン生成部514は、ディスプレイ100の表示領域210における複数の色設定（例えば、原色、二次色、グレースケール、白色点、輝度など）を含むパターンをディスプレイ駆動部110に生成させる。
【００６８】
１つ以上の較正センサ230は、複数の色設定のうちの対応する色設定について複数の測定値を測定する（ブロック710）。例えば、較正センサ230は、所定期間（例えば、100ms）にわたって、提示された色設定の所定数の測定値（例えば、約5〜10個の測定値）を取得する。例えば、１つ以上の較正センサ230は、提示され又は較正管理部506による使用のために測定されることになる複数の色設定のうちの対応する色設定について10ms毎に10個の測定値を取得することが可能である。実例によっては、較正センサ230は、ディスプレイ100の表示領域210上の同じ位置から複数の測定値を取得する。実例によっては、第１の較正センサ230a及び第２の較正センサ230bは、カラーパターンにより提示された複数の色設定のうちの対応する色設定についてディスプレイ100の２つの隣接する領域で、及び／又は異なる区画414a〜414dにおいて、複数の測定値を取得する。較正センサ230a,230bにより提供される測定値は同時に取得することが可能である。
【００６９】
データ収集部508は、１つ以上の較正センサ230から複数の測定値を受信し、及び複数の色設定のうちの対応する色設定についての複数の測定値のうちの対応する測定値のそれぞれの平均値を計算する（ブロック712）。複数の色設定のうちの対応する色設定について測定された平均値は、較正モジュール114又は較正管理部506へ入力として提供される（ブロック714）。較正パラメータ決定部510は、較正パラメータを決定し、及び較正パラメータ値を較正管理部506に提供する（ブロック716）。較正管理部506は、受信した平均値と較正されたパラメータ値とに基づいて較正された値を生成する（ブロック718）。較正された測定値（例えば、ルックアップテーブル）はデータストア516に格納される（ブロック720）。較正後、検証部512は、較正値が生成された後にディスプレイ100上のカラーパターンを検証する（ブロック722）。例えば、検証部512は、目標色設定値を有する入力をパターン生成部510に提供する。パターン生成部510は、該入力の色設定を提示し又は表示するが、較正された測定値で調整される。較正センサ230は、目標色設定値に基づき及び較正された測定値により調整されたディスプレイ100上の色設定を測定する。例えば、検証部512は、比較器を介して、目標色設定値を測定された出力色設定と比較する（例えば、較正された測定値で調整される）。この比較に基づいて、検証部512は、較正が検証されたか否かを判定する（ブロック724）。例えば、ブロック724で、較正された測定値が閾値を満たさない（例えば、閾値外となる）場合、検証部512は、較正された測定値が検証されないと判定し、ブロック702に戻って更なる較正を開始する。ブロック724で、検証部512が、較正された測定値が閾値を満たす（例えば、閾値未満である）と判定した場合には、検証部512は、較正された測定値の検証を確認し、較正プロセスは終了する。
【００７０】
図８を参照すると、データストア108から較正パラメータを読み出すことにより較正パラメータが決定される（ブロック802）。較正パラメータが記憶装置から読み出されると、較正パラメータ決定部510は、該較正パラメータがユーザにより定義されたものであるか否かを判定する（ブロック804）。実例によっては、較正パラメータ決定部510は、較正パラメータが標準較正パラメータであるか否かを判定するために、プリセットされた較正パラメータのファイル名を検討する。該ファイル名が所定数のファイル名のうちの何れかと等しい場合、較正パラメータ決定部510は、較正パラメータが標準的なものである（例えば、ユーザにより定義されたものではない）と判定する。実例によっては、較正パラメータ決定部510は、色設定値（例えば、原色、ガンマ曲線値、輝度値など）を標準的な較正パラメータ値の色設定値と比較して、データストア108内の較正パラメータ値が標準値であるかユーザにより定義された値であるかを判定する。
【００７１】
ブロック804で、較正パラメータ決定部510が、データストア108から読み出した較正パラメータがユーザにより定義されたものではないと判定した場合、較正パラメータ決定部510は、較正管理部506により使用するために選択されたプリセット較正パラメータを読み出す（ブロック806）。ブロック804で、較正パラメータ決定部510が、データストア108から読み出した較正パラメータがユーザにより定義されたものであると判定した場合には、較正パラメータ決定部510は、較正管理部506により使用するためにユーザ定義較正パラメータを読み出す（ブロック808）。
【００７２】
図９は、図１及び図５の較正モジュール114を実施するために図６ないし図８の命令を実行することが可能な例示的なプロセッサプラットフォーム900のブロック図である。プロセッサプラットフォーム900は、例えば、サーバ、パーソナルコンピュータ、モバイル機器（例えば、携帯電話、スマートフォン、iPad（登録商標）等のタブレット）、携帯情報端末（PDA）、インターネット家電、又はその他のタイプのコンピューティング装置とすることが可能である。
【００７３】
図示の例のプロセッサプラットフォーム900は、プロセッサ912を含む。図示の例のプロセッサ912は、ハードウェアである。例えば、プロセッサ912は、集積回路、論理回路、マイクロプロセッサ、又は任意の所望のファミリー又は製造業者からのコントローラにより実施することが可能である。
【００７４】
図示の例のプロセッサ912は、ローカルメモリ913（例えば、キャッシュ）を含む。図９の例では、例示的なプロセッサ912は、例示的な較正システム102、例示的な色管理システム106、例示的なディスプレイ駆動部110、例示的な較正開始部502、例示的な較正装置駆動部504、例示的な較正管理部506、例示的なデータ収集部508、例示的な較正パラメータ決定部510、例示的な検証部512、及び例示的なパターン生成部514を実施するための命令を実行する。
【００７５】
図示の例のプロセッサ912は、バス918を介して揮発性メモリ914及び不揮発性メモリ916を含むメインメモリと通信可能な状態にある。揮発性メモリ914は、同期ダイナミックランダムアクセスメモリ（SDRAM）、ダイナミックランダムアクセスメモリ（DRAM）、RAMBUSダイナミックランダムアクセスメモリ（RDRAM）、及び／又はその他の任意のタイプのランダムアクセスメモリデバイスにより実施することが可能である。不揮発性メモリ916は、フラッシュメモリ及び／又はその他の任意の所望のタイプのメモリデバイスにより実施することが可能である。メインメモリ914,916に対するアクセスはメモリコントローラにより制御される。
【００７６】
図示の例のプロセッサプラットフォーム900はまた、インタフェイス回路920を含む。インタフェイス回路920は、Ethernet（登録商標）インタフェイス、ユニバーサルシリアルバス（USB）、及び／又はPCI Expressインタフェイスなどの任意のタイプのインタフェイス規格により実施することが可能である。図９の例では、例示的な入力回路920は、例示的なユーザインタフェイス122を実施することが可能である。
【００７７】
図示の例では、入力装置922は、インタフェイス回路920に接続されている。１つ以上の入力装置922は、ユーザがデータ及びコマンドをプロセッサ912に入力することを可能にする。１つ以上の入力装置は、例えば、オーディオセンサ、マイク、カメラ（静止画又はビデオ）、キーボード、ボタン、マウス、タッチスクリーン、トラックパッド、トラックボール、アイソポイント（isopoint）、及び／又は音声認識システムにより実施することが可能である。図９に示す例では、例示的な１つ以上の入力装置922は、例示的な入出力インタフェイス104及び例示的な１つ以上の較正センサ230を実施する。
【００７８】
出力装置924はまた、図示の例のインタフェイス回路920に接続される。出力装置924は、例えば、表示装置（例えば、発光ダイオード（LED）、有機発光ダイオード（OLED）、液晶ディスプレイ、陰極線管ディスプレイ（CRT）、タッチスクリーン、触覚出力装置、発光ダイオード（LED）、プリンタ及び／又はスピーカ）により実施することが可能である。このため、図示の例のインタフェイス回路920は、典型的には、グラフィックドライバカード、グラフィックドライバチップ、又はグラフィックドライバプロセッサを含む。図９に示す例では、例示的な１つ以上の出力装置924は、例示的なディスプレイパネル112を実施する。
【００７９】
図示の例のインタフェイス回路920はまた、ネットワーク926（例えば、Ethernet（登録商標）接続、デジタル加入者回線（DSL）、電話線、同軸ケーブル、携帯電話システムなど）を介した外部機器（例えば、任意のタイプのコンピューティング装置）とのデータ交換を容易にするために、送信機、受信機、送受信機、モデム及び／又はネットワークインタフェイスカードなどの通信装置を含む。
【００８０】
図示の例のプロセッサプラットフォーム900はまた、ソフトウェア及び／又はデータを格納するための大容量記憶装置928を含む。かかる大容量記憶装置928の例として、フロッピー（登録商標）ディスクドライブ、ハードディスクドライブ、コンパクトディスクドライブ、Blu-ray（登録商標）ディスクドライブ、RAIDシステム、及びデジタル多用途ディスク（DVD）ドライブが挙げられる。
【００８１】
図６ないし図８の符号化命令932は、大容量記憶装置928、揮発性メモリ914、不揮発性メモリ916、及び／又はCD又はDVD等のリムーバブルな有形のコンピュータ読み取り可能記憶媒体に格納することが可能である。
【００８２】
以上の説明から、一体型の較正システムを有するディスプレイを提供する方法、装置、及び製品が開示されたことが理解されよう。ディスプレイの較正は、ユーザの存在又は支援なしで実行することが可能である。本書で開示する例示的なディスプレイは、外部のセンサ、装置、又は機器（例えば、図１の駆動ソース120、外部センサ（例えば、比色計など））を必要とすることなくスタンドアロン型の較正を実行する。更に、較正測定値（例えば、ルックアップテーブルのデータ）の精度を高めるために、本書で開示する例示的な較正システムは、所与の色設定の複数の測定値を取得し、及び測定された色設定についての該複数の測定値の平均値を求める。該平均値は、ディスプレイの色空間出力を、該ディスプレイにより受信された入力データにエンコードされた色空間と一層正確に一致させることにより、該ディスプレイの出力性能を向上させることが可能である。更に、幾つかの従来のディスプレイとは異なり、本書で開示する例示的な較正システムは、較正が実行された際に新しいルックアップテーブルを生成する。このようにして、該ルックアップテーブルは、ディスプレイの性能特性に一層厳密に一致する較正された測定値を含むものとなる。
【００８３】
上述の複数の例のうちの少なくとも幾つかは、以下に示すものを含む（がこれらには限定されない）少なくとも１つの特徴及び／又は利益を含む。
【００８４】
実例によっては、ディスプレイは、ディスプレイにより提示されたカラーパターンの複数の色設定について複数の測定値を測定するためのセンサを含む。かかる実例によっては、複数の色設定に関する複数の測定値のうちのそれぞれの測定値に対応する平均値をプロセッサが計算する。かかる実例によっては、較正管理部が、該平均値に基づいて較正された測定値を生成し、該較正された測定値により、ディスプレイのための色空間情報の決定が可能となる。
【００８５】
実例によっては、キャリアがセンサを支持する。かかる実例によっては、該キャリアがディスプレイに取り付けられる。
【００８６】
実例によっては、キャリアは、ディスプレイのハウジングに回動可能な状態で取り付けられ、該キャリアは、第１の位置と第２の位置との間でハウジングに対して回転する。
【００８７】
実例によっては、キャリアが非較正位置にある際に該キャリアがハウジング内に位置決めされ、該キャリアが較正位置にある際には該キャリアはハウジングから突出する。
【００８８】
実例によっては、駆動システムは、キャリアを第１の位置と第２の位置との間で回転させるものとなり、該駆動システムは、歯車伝動装置を介してキャリアに動作可能な状態で連結されたモータを含む。
【００８９】
実例によっては、該モータはディスプレイのハウジング内に配置される。
【００９０】
実例によっては、歯車伝動装置は、モータの出力シャフトにより駆動されるウォームギアと、キャリアの近位端に結合された平歯車とを含む。
【００９１】
実例によっては、複数の色設定のうちの少なくとも１つの色設定が、白、黒、赤、緑、青、シアン、黄、又はマゼンタのうちの少なくとも１つの三刺激値を含む。
【００９２】
実例によっては、複数の測定値は、各色設定毎に少なくとも５つの測定値を含む。
【００９３】
実例によっては、ディスプレイを較正するための方法は、較正センサに隣接するディスプレイの表示領域に複数の色設定を提示することを含む。かかる実例によっては、本方法は、該複数の色設定のうちの対応する色設定について複数の測定値を測定することを含む。かかる実例によっては、本方法は、測定された複数の色設定のうちの対応する色設定についての複数の測定値のうちの対応する測定値のそれぞれの平均値を計算することを含む。かかる実例によっては、本方法は、該平均値に基づいて較正された測定値を生成することを含む。かかる実例によっては、本方法は、該較正された測定値に基づいてディスプレイの色空間情報を調整することを含む。
【００９４】
実例によっては、本方法は、センサを第１の位置から第２の位置に移動させることを含み、該センサは該第１の位置でディスプレイのハウジングの内側に配置され、及び該センサが該第２の位置にあるときに該センサはディスプレイのハウジングから少なくとも部分的に突出する。
【００９５】
かかる実例によっては、本方法は、ユーザの関与なしにディスプレイを自動的に較正することを含む。
【００９６】
実例によっては、有形のコンピュータ読み取り可能媒体は命令を含み、該命令は、その実行時に、少なくとも、センサに隣接するディスプレイの表示領域に複数の色設定を提示し、該複数の色設定のうちの対応する色設定について複数の測定値を測定し、該測定された複数の色設定のうちの対応する色設定についての複数の測定値のうちの対応する測定値のそれぞれの平均値を計算し、該平均値に基づいて較正された測定値を生成し、及び該較正された測定値に基づいてディスプレイの色空間情報を調整することをマシンに行わせる。
【００９７】
実例によっては、前記命令は、その実行時に、マシンにセンサを第１の位置から第２の位置へと移動させ、該センサは該第１の位置においてディスプレイのハウジングの内部に配置され、及び該センサは該第２の位置にある際に該ハウジングから少なくとも部分的に突出する。
【００９８】
実例によっては、前記命令は、その実行時に、ユーザの関与なしにマシンにディスプレイを自動的に較正させる。
【００９９】
本説明の最初に述べたように、図面に示し上記で説明した例は例示であり、本開示を限定するものではない。他の形態、詳細、及び実例を作成し及び実施することが可能である。したがって、上記説明は、添付の特許請求の範囲で定義される本開示の範囲を限定するように解釈されるべきではない。
【０１００】
特定の例示的な方法、装置、及び製品について本書で説明したが、本開示の範囲はそれらには限定されない。それどころか、本開示は、特許請求の範囲の範囲内に適正に含まれる全ての方法、装置、及び製品を網羅するものである。
【図１】
2019535031.tif 000002
【図２Ａ】
2019535031.tif 000003
【図２Ｂ】
2019535031.tif 000004
【図３Ａ】
2019535031.tif 000005
【図３Ｂ】
2019535031.tif 000006
【図４Ａ】
2019535031.tif 000007
【図４Ｂ】
2019535031.tif 000008
【図５】
2019535031.tif 000009
【図６】
2019535031.tif 000010
【図７】
2019535031.tif 000011
【図８】
2019535031.tif 000012
【図９】
2019535031.tif 000013
【国際調査報告】
2019535031.tif 000014